(57)【要約】【課題】この発明は、衣類の入れ替え作業を容易にすると共に、何処にどの衣類が収納されているのか容易に判別することができる衣類収納方法及び衣類収納具を提供することを課題とする。【解決手段】衣類を挿脱自在に収容する形状の密閉可能で少なくとも一部が透明な圧縮袋に衣類を収納した後、圧縮袋に設けた空気排出部より収納部内の空気を抜き取って収容した衣類を圧縮し、この圧縮した衣類を収容し且つ圧縮状態で密閉した圧縮袋を吊り下げるようにしたものである。【選択図】        図２
2004268990.tif 000002
【特許請求の範囲】
【請求項１】
衣類を挿脱自在に収容する形状の密閉可能で少なくとも一部が透明な圧縮袋に衣類を収容した後、圧縮袋に設けた空気排出部より収納部内の空気を抜き取って収容した衣類を圧縮し、この圧縮した衣類を収容し且つ圧縮状態で密閉した圧縮袋を吊り下げるようにした衣類収納方法。
【請求項２】
衣類を挿脱自在に収容する形状の密閉可能で少なくとも一部が透明な圧縮袋に空気排出部を設け、空気排出部より収納部内の空気を抜き取り圧縮し、圧縮した袋を密閉した状態で吊り下げ具を連結し、吊り下げるようにしたことを特徴とする衣類収納具。
【請求項３】
吊り下げ具において、ピンチ部を構成する一対の挟持板のうち少なくとも一方の先端内側部に突出部を設けたこと特徴とする請求項２記載の衣類収納具。
【発明の詳細な説明】
【０００１】
【発明の属する技術分野】
この発明は、衣類の収納を効率的に行う衣類収納方法及び衣類収納具に関するものである。
【０００２】
【従来の技術】
衣類の収納は非常に煩雑である。というのも、衣類の数は増える一方であるのに対して、通常は収納場所が限られているからである。特に、衣類にはダウンジャケット等の嵩高なものも多いため、限られた収納場所の大部分を占領してしまう。その結果、一箇所の収納場所では足りず、数箇所に分けて収納しているのが現状である。このように、衣類は複数の収納場所に分けられている場合が多いが、常にその場所に収納されているわけではない。衣類の収納場所は、時期に応じて適切に変更されるものである。これは、所謂衣替えといわれるものであり、日常生活の利便性を考慮して、その時期に適した衣類を最も使いやすい場所に収納するものである。
【０００３】
春夏物から秋冬物へと衣替えをするとなれば、春夏物を取り出して収納場所を空にした後、さらに他の収納場所に収納されていた秋冬物を取り出して、再度それぞれに収納する必要があり、その作業は極めて煩雑である。特に、個々の収納場所間の距離が離れている場合には、その間を何度も往復しなければならず非常にわずらわしい。また、衣類を複数の場所に分けて収納する結果、どの場所にどの衣類があるのか正確に把握することは難しく、衣類の入れ替えを一層困難なものとし、特に、衣類を引き出しの中に畳んで収納している場合には、その中から所望する衣類を判別することが困難であり、且つその取り出しも容易ではない。
【０００４】
従来、季節ごとの衣替えを容易にすべく、２列引き出し式収納装置が提案されている。これは、引き出しを前後２列に配列し、前引き出しには春夏物を、後引き出しには秋冬物をそれぞれ収納するようにしているが（例えば引用文献１）、収納できる枚数に変化がなく複数の収納場所が必要となることから、上述の衣類の入れ替えの煩雑さが解消されず、また、衣類が引き出しの中に畳まれて収納されていることから、何処に何が収納されているのか容易に判別することはできない。
【０００５】
【特許文献１】
特開平７−１４８０２８号公報
【０００６】
【発明が解決しようとする課題】
この発明は、一収納場所での収納可能枚数を格段に増加して収納箇所数を低減させ、衣類の入れ替え作業を容易にすると共に、何処にどの衣類が収納されているのか容易に判別することができる衣類収納方法及び衣類収納具を提供することを課題とする。
【０００７】
【課題を解決するための手段】
この発明に係る衣類収納方法は、衣類を挿脱自在に収容する形状の密閉可能で少なくとも一部が透明な圧縮袋に衣類を収容した後、圧縮袋に設けた空気排出部より収納部内の空気を抜き取って収容した衣類を圧縮し、この圧縮した衣類を収容し且つ圧縮状態で密閉した圧縮袋を吊り下げるようにした衣類収納方法であり、この発明に係る衣類収納具は、衣類を挿脱自在に収容する形状の密閉可能で少なくとも一部が透明な圧縮袋に空気排出部を設け、空気排出部より収納部内の空気を抜き取り圧縮し、圧縮した袋を密閉した状態で吊り下げ具を連結し、吊り下げるようにしたことを特徴とする衣類収納具である。
【０００８】
このような衣類収納方法及び衣類収納具であると、衣類の単位あたりの占有容積を格段に減少させ、圧縮袋の少なくとも一部を透明にして被収納物を視認可能とし、衣類を上下に重ねて収納せずに直立させて吊り下げるようにしたため、一収納場所での収納可能枚数を格段に増加して収納箇所数を低減させ、衣類の入れ替え作業を容易にすると共に、何処にどの衣類が収納されているのか容易に判別することができる。
【０００９】
また、圧縮袋に挿通孔を設けるなどの特別な加工を施すことなく、衣類の荷重によって吊り下げ具から圧縮袋が容易にずり落ちることを防止して、また、所望の衣類を確認すべく収納した状態で衣類を手前方向へ引っ張った際にも不用意にずり落ちることがなく、また、収納した状態で衣類を取り出してまた元に戻す際にも不用意にずり落ちることが無いようにするためには、前記吊り下げ具において、ピンチ部を構成する一対の挟持板のうち少なくとも一方の先端内側部に突出部を設けるようにすることが好ましい。
【００１０】
【発明の実施の形態】
以下、この発明の実施の形態を、図面を参照して説明する。
【００１１】
図１の圧縮袋は、合成樹脂製の矩形状シートから制袋された袋本体１に、衣類を挿脱自在に収容する為の開口部２と、衣類が収納される収納部３の空気を外部へ排出するための空気排出部４とが設けられている。
【００１２】
袋本体１は、２枚の矩形状シートの３辺が熱融着されて袋状に形成されたものである。このシートの形状は矩形状シートに限るものではなく、例えば、Ｕ字形状として形成してもよい。また袋本体１は透明であり、外部から収納される衣類が見えるようにしてあるが、全体が透明である必要はなく少なくとも一部が透明であればよい。
【００１３】
開口部２には、収納部３を密封するための密封チャック５が設けられている。密封チャック５は凹凸嵌合方式のプラスチック製のチャックであり、この実施例のように、２重チャックとすれば密閉性がより良好となる。
【００１４】
空気排出部４は、収納部３の空気を外部へ排出するためのものであり、袋本体１の任意の位置に取り付けられる。この空気排出部４には、圧縮後に空気が逆流しないように弁機構による空気逆流防止手段が設けられている。なお、この実施例は、空気排出部４を袋本体１に別途設けているものとしたが、後述のように、密封チャック５を利用して空気排出部とすることもできる。
【００１５】
この圧縮袋により衣類を圧縮するには、図２に示すとおり、その開口部２から衣類を収納し、その後、密封チャック５を閉めて収納部３を密封状態とする。そして、空気排出部４に掃除機のノズルを挿入し収納部３内のほとんどの空気を吸引・排出することでほぼ真空状態とするのである。この空気排出部４に掃除機のノズルを挿入して吸引すれば、空気逆流防止手段たる弾性弁体が開放し、収納部３内の空気が空気排出部４を通じて排出され収納部３内が真空状態となり、その後掃除機のノズルを空気排出部４から分離すると前記弾性弁体が閉鎖して、収納部３内の気圧が外部の気圧よりも低くなることから弾性弁体の閉鎖状態が維持されるようになり、収納部３内の真空状態が継続して保たれるのである。なお、密封チャック５を利用して空気排出部４とする場合には、密封の際に密封チャック５の一端に開放部分を残してほぼ密封状態としておき、その開放部分に掃除機のノズルを挿入して吸引するか、又は手で圧縮袋を押さえ、その後完全に密封チャック５を閉めることにより真空状態とすることもできる。
【００１６】
このようにすれば、衣類の嵩は約３分の１程度にまで減少し、圧縮袋は全体として扁平な板状態となる。
【００１７】
この扁平な板状態となった圧縮袋を吊り下げるための吊り下げ具７は、例えば、図３に示すように、鉤状のＳ字フック７０とすることができる。圧縮袋の周縁部分に鉤状のＳ字フック７０が挿通しうる挿通孔８０を設け、この挿通孔８０に鉤状のＳ字フック７０を挿通することで吊り下げ可能な衣類収納具となる。この実施例では、挿通孔８０を一箇所のみ設けているが、衣類の荷重が集中して圧縮袋が破損するのを防止するには挿通孔８０を複数設けることが好ましく、また挿通孔８０の補強として金属製のリングを嵌め合わせておくことがより好ましい。
【００１８】
また、圧縮袋を吊り下げるための吊り下げ具７は、図４に示すように、鉤状のフックが突出する棒状フレーム７１とすることもできる。鉤状のフックが突出する棒状フレーム７１が挿通可能な挿通孔８１を圧縮袋の周縁部分に設け、この挿通孔８１に棒状フレーム７１を挿通することで吊り下げ可能な衣類収納具となる。この実施例では、衣類の荷重による圧縮袋の破損を防止すべく、圧縮袋の周縁部に合成樹脂性の補強シートを重ね合わせて製造しておくことが好ましい。
【００１９】
また、図５に示すように、圧縮袋に熱や超音波等により合成樹脂製等の取っ手部８２を取り付けて、これに鉤状のＳ字フック７２を引っ掛けて吊り下げ可能とすることもできる。この場合も、衣類の荷重が分散するように、取っ手部８２を複数設けることが好ましい。
【００２０】
図６に示す実施例の吊り下げ具７は、中央に鉤状のフックが突出している棒状フレーム部７３と、ピンチ部７４とからなる。
【００２１】
ピンチ部７４は、棒状フレーム部７３が挿通可能な孔を有する挟持板７５、７５と、一対の挟持板７５の先端部が当接するように付勢すべく、棒状フレーム部７３に外嵌されたコイル状のキックばね部材（図示しない）とからなる。これは、図７に示すとおり、ピンチ部７４を構成する一対の挟持板７５の先端内側部のそれぞれに突出部７６を設けている。この吊り下げ具７によれば、前記一対の挟持板７５の先端内側部に設けられた突出部７６が、圧縮袋を介して互いに当接することで圧縮袋を表裏から強く挟み込むと共に、さらに突出部７６が圧縮袋の開口部付近に表れる密封チャック５の凸部５１に係止することで、圧縮袋と吊り下げ具７とがより強固に連結される。この実施例では、一対の挟持板７５のそれぞれに突出部７６を設けているが一方の挟持板７５のみに設けてもよく、密封チャック５の凸部５１が表れる側の挟持板７５に設けることが好ましい。この実施例の突出部７６の形状は、円弧状に突出したものとしたがこの形状に限るものではない。また、その数にも制限はなく複数の突出部を設けることもできる。
【００２２】
この実施例のピンチ部７４の挟持板７５の形状は、縦方向が長く横方向に短い形状としたがその逆であってもよい。ピンチ部７４の設置数は２個に限らず、より多く設けることもできる。また、挟持板７５の形状を特に横方向に長い形状とした場合には、ピンチ部７４の設置数を１個とすることも可能である。
【００２３】
このような吊り下げ具７であると、圧縮袋に挿通孔を設けるなどの特別な加工を施すことなく、衣類の荷重によって吊り下げ具から圧縮袋が容易にずり落ちることを防止して、また、所望の衣類を確認すべく収納した状態で衣類を手前方向へ引っ張った際にも不用意にずり落ちることがなく、また、収納した状態で衣類を取り出してまた元に戻す際にも不用意にずり落ちることが無い。
【００２４】
上述の実施例のように衣類収納具を構成することで、例えば図８のように、直立させて吊り下げることができるようになる。
【００２５】
【発明の効果】
この発明によれば、圧縮袋により衣類一枚単位の占有面積が格段に減少させ、圧縮袋の少なくとも一部を透明にして視認可能とし、衣類を上下に重ねて収納せずに直立して吊り下げるため、一収納場所での収納可能枚数を格段に増加して収納箇所数を低減させ、衣類の入れ替え作業を容易にすると共に、何処に何が収納されているのか容易に判別することができる。
【図面の簡単な説明】
【図１】この発明の圧縮袋の全体斜視図である。
【００２７】
【図２】この発明の圧縮方法を示す説明図である。
【００２８】
【図３】この発明の衣類収納具の一実施例を示す斜視図である。
【００２９】
【図４】この発明の衣類収納具の一実施例を示す斜視図である。
【００３０】
【図５】この発明の衣類収納具の一実施例を示す斜視図である。
【００３１】
【図６】この発明の衣類収納具の一実施例を示す斜視図である。
【００３２】
【図７】図６に示す実施例のピンチ部の一部拡大断面図である。
【００３３】
【図８】この発明を用いた収納状態を示す斜視図である。
【００３４】
【符号の説明】
１  袋本体
２  開口部
４  空気排出部
７  吊り下げ具
【図１】
2004268990.tif 000003
【図２】
2004268990.tif 000004
【図３】
2004268990.tif 000005
【図４】
2004268990.tif 000006
【図５】
2004268990.tif 000007
【図６】
2004268990.tif 000008
【図７】
2004268990.tif 000009
【図８】
2004268990.tif 000010